(57)【要約】【課題】簡単な構造でありながら、投入口に指などを入れることによる怪我の発生を防止できる裁断装置の投入口構造を提供する。  【解決手段】投入口３から裁断刃５に向けて幼児の指の厚みよりも狭い通路を設け、通路の始端部に、通路を拡幅する方向に変形可能な弾性部材１０を配設し、その弾性変形によって操作されるスイッチ３０を設け、そのスイッチ３０の操作によって裁断刃が駆動不能になるようにする。挿入口に指などが挿入され、裁断刃５のところにまで達した場合であっても、裁断刃５は停止状態なので、指の切断等の大事故に繋がる可能性は低い。【選択図】図１
2008068196.tif 000002
【特許請求の範囲】
【請求項１】
ハウジング内に投入されたシート材を裁断する裁断装置（２）の投入口構造（１）であって、
投入口（３）から裁断刃（５）に向けて幼児の指の厚みよりも狭い通路を設け、該通路の始端部に通路を拡幅する方向に変形可能な弾性部材を配設し、該弾性部材（１０）の弾性変形によって操作されるスイッチ（３０）を設け、該スイッチ（３０）の操作によって前記裁断刃（５）が駆動不能になるようにしたことを特徴とする裁断装置の投入口構造。
【発明の詳細な説明】
【技術分野】
【０００１】
本発明は、紙やコンパクトディスク等のシート材を細かく裁断するためのシュレッダー、或いは名刺などのカード類を所定の大きさに裁断するためのカード裁断機などの裁断装置の投入口の構造に関し、特に、投入口に指などが入ることによる怪我の発生を防止できる投入口構造に関する。
【背景技術】
【０００２】
シュレッダーやカード裁断機などの裁断装置においては、シート材の投入口に誤って指を入れてしまったり、投入口にネクタイ等が巻き込まれるのを防止するための技術として、以下の特許文献に示されたものがある。
特許文献１には、シュレッダーの投入口に人の指などの望ましくない対象物が進入するのを検知するために、投入口の近傍に人や動物の存在を検知する近接センサを設けるという技術が開示されている。
また、特許文献２には、ネクタイ等がカッターに巻き込まれることを防止するために、上部に凹み部を設けたペーパーガイドを裁断機の用紙投入口の周辺に設置する技術が開示されている。
【特許文献１】特開２００５−９５８９８号公報
【特許文献２】特開平０５−１１５８０７号公報
【発明の開示】
【発明が解決しようとする課題】
【０００３】
しかしながら、特許文献１に開示の技術には、人や動物などの望ましくないものと、裁断しようとする物とを区別して検知できる近接センサが必要である上に、センサの配設位置によっては、被裁断物を差し込む際の作業者の手などにも反応してしまい、裁断作業に支障を来す虞がある。
【０００４】
特に、被裁断物が挿入されると同時に自動的に裁断刃が回転する構成のシュレッダーにおいては、被裁断物の挿入を検知するセンサが別個に必要になるので、それぞれのセンサの性能や構造が複雑化する上に、取り付け位置の調節が困難である。このため、製造コストが嵩み、商品価格が高くなるので、家庭用のシュレッダーとして普及させるには難しい。
【０００５】
特許文献２に開示の技術は、無意識のうちにネクタイが裁断されるといった事態は低減できるかもしれないが、幼児の悪戯等によって、意識的に用紙投入口に指などを挿入する場合には効果が低い。
そこで、本発明は、簡単な構造でありながら、シート材の投入口に指などを入れることによる怪我の発生を防止できる裁断装置の投入口構造の提供を目的とする。
【課題を解決するための手段】
【０００６】
上記課題を解決するために、本発明は、ハウジング内に投入されたシート材を裁断する裁断装置の投入口構造であって、投入口から裁断刃に向けて幼児の指の厚みよりも狭い通路を設け、該通路の始端部に通路を拡幅する方向に変形可能な弾性部材を配設し、該弾性部材の弾性変形によって操作されるスイッチを設け、該スイッチの操作によって前記裁断刃が駆動不能になるようにしたことを特徴とするものである。
【発明の効果】
【０００７】
請求項１に係る発明は、投入口から裁断刃に向けて幼児の指の厚みよりも狭い通路を設けたので、幼児の指の厚みよりも厚いものが無意識のうちに投入口に入り込むことを防止できる。
万一、悪戯や不注意によって、指などを投入口に挿入した場合であっても、通路の始端部に、通路を拡幅する方向に変形可能な弾性部材を配設し、その弾性変形によって裁断刃の駆動スイッチが操作され、裁断刃が駆動不能となる。このため、指などが投入口に差し込まれて弾性部材が弾性変形した際に、裁断刃の回転を停止させることができる。
これによって、万一、指が裁断刃のところまで達した場合であっても、回転状態の裁断刃に接触することはなく、指の切断などの大事故を回避できる。
【発明を実施するための最良の形態】
【０００８】
本発明の好適な実施形態について、添付図面に基づいて説明する。なお、実施形態は以下の形態に限定されるものではなく、本発明の課題を解決し得るものであれば他の態様も可能である。
【０００９】
図１は、本発明の実施形態の裁断装置の投入口構造１を示す断面図である。この裁断装置の投入口構造１は、図２に示すシュレッダー２の投入口３に適用されるものである。
先ず、本発明に係る裁断装置の投入口構造１が適用されるシュレッダー２の構成について説明する。
【００１０】
このシュレッダー２は、紙やコンパクトディスクなどのシート状の被裁断物を裁断するものであり、投入口３から投入された被裁断物を、ハウジング４の内部に設けられた裁断刃５で裁断処理し、裁断刃５の下方に設けられた屑収容箱に排出するようになっている。
このシュレッダー２のハウジング４の正面には扉８が回動可能に取り付けられている。この扉８を開けば、図示しない屑収集箱が前方に引き出し可能に収容されている。
【００１１】
ハウジング４の上面には、シート材を投入するための投入口３が設けられている。
投入口３の下方には、シート材の裁断処理を行うための一対の裁断刃５が配設されている。この裁断刃５は、筒状体の周面に鋭利な裁断刃５を多数設けたもので、２本の筒状体は、裁断刃５が対向するように水平に並列させて配置され、両端部において回転可能に支承されている。
【００１２】
この裁断刃５の上方には、図示しないセンサが取り付けられており、そのセンサが被裁断物の通過を検知することによって、図示しない駆動モータが作動し、筒状の裁断刃５が回転し、裁断刃５の間を通過する被裁断物を細かく裁断するようになっている。
なお、裁断刃５を回転させるための駆動モータは、ハウジング４に設けられた電源スイッチ６をＯＮにすることによって閉じる電源回路に接続されている。また、上記裁断刃５を駆動させるための一連の機器は、ハウジング４の扉８を開けた際に表れる保護壁と、ハウジング４の扉８を開けて屑収集箱を引き出した際に裁断刃５と屑収集箱との間を遮蔽するシャッターとによって、裁断作業者が直接触れることがないようになっている。
【００１３】
次に、このシュレッダー２に適用される投入口構造１について詳述する。
シュレッダー２の投入口３から裁断刃５に向けて被裁断物の通路が形成されている。この通路は、被裁断物の進路方向に向けて配設された弾性部材１０と、ハウジング４と一体形成された通路部材２０と、によって構成される。
【００１４】
この場合、シュレッダー２のハウジング４の上面は、投入口３の手前で、一旦裁断刃５の位置まで下降し、裁断刃５の上で通路側に向けて屈曲し、緩やかなカーブを描きながら上方に向かう形状に成形されている。即ち、通路部材２０は、図３に示すように、ハウジング４の上面を所定幅に切り欠いてできた開口部に、半円形の上部の円弧部分を切り欠いた断面形状を成すレール部材を連設して形成されている。このレール部材において通路を形成する中央側の部分を通路壁部２１、底の部分を底壁部２２、ハウジング４から下降している部分を後壁部２３と称することとする（図１参照）。
【００１５】
上記構成のレール部材を覆うように、断面円弧状の弾性部材１０が取り付けられている。
この弾性部材１０は、通路の始端部（即ち、通路の上流側）に、通路部材２０の通路壁部２１と略面一になって通路壁面が構成されるように配設されている。弾性部材１０は、金属又は合成樹脂製の板バネ状の部材によって構成されており、弾性変形された際に、弾性部材１０の先端部１１と通路部材２０との間に間隙が生じるように設計されている。
【００１６】
この場合、弾性部材１０の通路に面した部分と、通路部材２０の後壁部２３との間に、スプリング１２が配設されており、初期状態においては、通路の幅Ｍが幼児の指の厚みよりも狭くなり、弾性変形された際には、弾性部材１０の先端部１１と通路部材２０との間に生じる間隙が、幼児の指の厚みよりも広い幅になるように調節されている。なお、幼児の指の厚みとは、図４に示す長さNをいうものとする。
【００１７】
弾性部材１０が弾性変形された際に生じた間隙は、通路部材２０によって規制されたレール状の空間部Ｓに連続するようになっている。
また、弾性部材１０の先端部１１には、通路から反れる方向に傾斜する逃げ面１３が設けられている。
【００１８】
このような弾性部材１０と通路部材２０のセットが、所定の間隔Ｍをあけて対向配置されることで、投入口３から裁断刃５に向かう被裁断物の通路が形成されることとなる。弾性部材１０と通路部材２０のセットが対向配置される間隔Ｍは、幼児の指の厚みよりも小さく、例えば約２ｍｍ〜１０ｍｍ程度の幅に設定されている。
通路部材２０の裏側には、裁断刃５の駆動を制御するリミットスイッチ３０が配設されている。
【００１９】
このリミットスイッチ３０は、通路部材２０の後壁部２３に設けられた小孔３１から操作部が露呈するように、通路部材２０の後壁部２３の背面に取り付けられている。
弾性部材１０が弾性変形した際に、その先端部１１でリミットスイッチ３０の操作部を押圧するようになっている。
このリミットスイッチ３０は、裁断刃５を回転させるための駆動モータに接続されており、リミットスイッチ３０の操作部が押圧されることによって、回転刃５が駆動不能状態となる。
【００２０】
上記構成のシュレッダー２の使用状態を、図５を参照して説明する。
裁断作業を行う際には、被裁断物９を投入口３に投入する。この際、投入口３から裁断刃５に向かう通路の幅が幼児の指の厚みよりも狭いので、図５（ａ）に示すように、指を投入口３の付近まで近づけても、投入口３に挿入される危険性が低い。
万が一、誤って指が投入口３に挿入してしまった場合、図５（ｂ）に示すように、通路の始端部に設けられた弾性部材１０が変形し、その先端部１１において、通路を拡幅する方向に大きく撓む。
【００２１】
この際、弾性部材１０と通路部材２０との間に間隙ができ、その間隙に指が導かれ、空間部Ｓへと進入する。そして、通路部材２０の内壁面に当接して停止する。
これによって、指が誤って投入口３に挿入された場合であっても、裁断刃５にまで至る可能性は低くなる。
【００２２】
たとえ指が裁断刃５に達してしまった場合であっても、弾性部材１０の先端部１１がリミットスイッチ３０の操作部を押圧しているので、既に回転刃５が駆動不能状態となっている。このため、たとえ裁断作業中であっても、裁断刃５の回転が直ちに停止するので、回転する裁断刃５に指が巻き込まれるといった事態を回避できる。
【００２３】
なお、通路の間隔Ｍを裁断刃５の裁断能力に応じた幅に設計しておけば、裁断可能枚数を超えて被裁断物９が投入された場合に、回転刃５の駆動を停止させることもできる。これによって、被裁断物９が裁断刃５に噛み込まれ、裁断刃５が停止するといった事態を防止することができる。また、被裁断物９が裁断刃５に噛み込まれることによる裁断刃５の破損を防止することもできる。
【００２４】
本実施形態においては、弾性部材の下流側に通路部材を配設したが、図６に示すように、リミットスイッチ３０を押圧する弾性部材１０’のみを設けてもよい。
この場合、指を進路から逃がすことはできないが、万一、裁断刃５のところにまで達した場合であっても、裁断刃５は既に停止しているので、指の切断等の大事故に繋がる可能性は低い。
【００２５】
また、弾性部材１０によって押圧されるスイッチは、裁断刃５の駆動回路を開閉できるものであれば、如何なる構造のものであってもよい。
更に、弾性部材１０の構成も、通路を拡幅可能なものであれば、ゴム製又はスポンジ状のものでもよいし、或いは、ハウジング４に枢支された剛体をスプリングによって通路側に付勢したものであってもよい。
【産業上の利用可能性】
【００２６】
本発明は、投入口からハウジング内に投入されたシート材を裁断する構造の機器であれば、家庭用、事務用、工業用等のあらゆる産業分野で使用される裁断装置の投入口に適用することができる。
【図面の簡単な説明】
【００２７】
【図１】本発明の実施形態に係る裁断装置の投入口構造を示す断面図である。
【図２】上記裁断装置の投入口構造が適用されるシュレッダーを示す斜視図である。
【図３】上記裁断装置の投入口構造の弾性部材と通路部材を示す説明図である。
【図４】幼児の指の厚みを示す説明図である。
【図５】上記裁断装置の投入口構造の使用状態を示す断面図である。
【図６】上記裁断装置の投入口構造の第１の変形例を示す断面図である。
【符号の説明】
【００２８】
１・・・裁断装置の投入口構造
２・・・シュレッダー
３・・・投入口
４・・・ハウジング
５・・・裁断刃
６・・・電源スイッチ
８・・・扉
９・・・被裁断物
１０・・・弾性部材
１１・・・先端部
１２・・・スプリング
１３・・・逃げ面
２０・・・通路部材
２１・・・通路壁部
２２・・・底壁部
２３・・・後壁部
３０・・・リミットスイッチ
３１・・・小孔
Ｓ・・・空間部
【図１】
2008068196.tif 000003
【図２】
2008068196.tif 000004
【図３】
2008068196.tif 000005
【図４】
2008068196.tif 000006
【図５】
2008068196.tif 000007
【図６】
2008068196.tif 000008